(57)【要約】【課題】３個の遊技球が同時に入っても、球噛現象が生じないようにして常に支障なく作動できる可変入賞装置を提供する。【解決手段】いずれか一方の可動翼片６ａ，６ｂの上面位置に該可動翼片６ａ，６ｂとは別個に形成されかつ可動翼片６ａの軸着部１３ａと同じ側で取付基板１に軸着される球逃し板１１を配置し、該球逃し板１１は、該球逃し板１１に載る遊技球Ｂ４が軸着部１３ａ側から他の遊技球Ｂ５によって押されたときに該軸着部１３ａ側から離れて逃げられる範囲で上面１１ｂが常に軸着部１３ａ側へ緩やかに下傾する状態で保持されている。【選択図】図１０
2011218040.tif 000002
【特許請求の範囲】
【請求項１】
遊技盤面に取着される取付基板に遊技球が通過する球入口を開設し、前記取付基板の前面に前記球入口を挟み該取付基板を正面から見て起立または逆ハの字状に傾倒する一対の可動翼片を軸着し、前記取付基板の後面に前記球入口を囲うようにして箱枠を固着し、前記箱枠内に遊技球の入賞と共に作動して前記可動翼片を起立または逆ハの字状に傾倒させる球誘導部材を配置した可変入賞装置であって、
前記いずれか一方の可動翼片の上面位置に該可動翼片とは別個に形成されかつ前記可動翼片の軸着部と同じ側で軸着され該可動翼片と同一平面内で回動する球逃し板を配置し、
前記球逃し板は、前記球逃し板に載る遊技球が前記軸着部側から他の遊技球によって押されたときに該軸着部側から離れて逃げられる範囲で上面が常に前記軸着部側へ緩やかに下傾する状態で支持されていることを特徴とする可変入賞装置。
【請求項２】
前記軸着部側へ緩やかに下傾する前記球逃し板の上面の傾斜角度は、水平面より大きくかつ水平面に対して１０度以内の範囲で設定される請求項１記載の可変入賞装置。
【発明の詳細な説明】
【技術分野】
【０００１】
本発明は、遊技盤面に装着され、起立または逆ハの字状に傾倒して遊技球の入賞する機会を変化させる一対の可動翼片を備えた可変入賞装置に関するものである。
【背景技術】
【０００２】
従来、例えば遊技機の一種であるパチンコ機にあっては、遊技盤面に装着される取付基板の前面に該遊技盤面を流下する遊技球が入賞することにより、一対の可動翼片が起立または逆ハの字状に傾倒して遊技球の入賞する機会を変化させるようにした可変入賞装置が装着されている。該可変入賞装置の構成を更に詳しく説明すると、該可変入賞装置は、遊技盤面に取着される取付基板に遊技球が通過する球入口を開設すると共に該取付基板の前面に該球入口を囲うようにして上面が開放されるポケットカバーを取着し、該ポケットカバー内に前記球入口の両側に位置して一対の可動翼片を軸着している。この一対の可動翼片は、常にその自重で外側へ回動するように付勢されている。また、前記取付基板の後面に前記球入口を囲うようにして箱枠が固着され、該箱枠内に横軸により軸着され前記取付基板を正面から見て前後方向で前端が上下に回動する球誘導部材が配置される。該球誘導部材は、その前端が下方に回動して前記一対の可動翼片の下部間に介入することにより両可動翼片を起立させる。また、その前端を上方に回動させることにより、前記一対の可動翼片を自由にして逆ハの字状に傾動させるようにしている（例えば、特許文献１参照。）。
【０００３】
そして、一対の可動翼片が共に起立している状態で、両可動翼片間に遊技球が入賞すると、該遊技球は球入口へ入り球誘導部材の上面を後方へ転動する。これに伴い、球誘導部材の後端が下方へ回動すると共に前端が上方へ回動する。そして、両可動翼片が球誘導部材の前端から開放され、互いに外側へ逆ハの字状に傾倒する。逆に、逆ハの字状に傾倒した両可動翼片間に遊技球が入賞すると、該遊技球により球誘導部材の前端を下方へ押し下げると共に両可動翼片を起立させる。これにより、起立した両可動翼片の下部が球誘導部材の前端により規制され、その状態を保持する。また、この起立した両可動翼片間に遊技球が入ると、前記と同様な動作を繰り返すことになる。
【先行技術文献】
【特許文献】
【０００４】
【特許文献１】特開平２−１０７２８２号公報（第２−４頁、図１、図２）
【発明の概要】
【発明が解決しようとする課題】
【０００５】
ところで、前記特許文献１に係る可変入賞装置にあって、両可動翼片が逆ハの字状に傾倒して開いており、偶然に３個の遊技球が同時に入賞しようとしたとき、第１個目の遊技球は両可動翼片間に入り両可動翼片の軸着部よりも下側を広げて下方へ落下しようとする。これに対し、第２個目と第３個目の遊技球は、両可動翼片の上面で互いに寄り添い中央で接触した状態で静止しようとする。この際、第２個目と第３個目の両遊技球は互いに接触していることから、両可動翼片の起立動作を妨げる。このように、両可動翼片の軸着部より下部では外側へ広げようとする、すなわち両可動翼片を起立させようとするのに対し、両可動翼片の軸着部より上部では両可動翼片の起立動作を妨げている。よって、釣り合い現象すなわち球噛現象が起きて可変入賞装置が作動不能の状態になるという致命的な課題があった。
【０００６】
そこで、本発明は上記課題を解決すべくなされたもので、３個の遊技球が同時に入っても、球噛現象が生じないようにして常に支障なく作動できる可変入賞装置を提供することを目的とするものである。
【課題を解決するための手段】
【０００７】
かかる目的を達成するため本発明の可変入賞装置は、遊技盤面に取着される取付基板に遊技球が通過する球入口を開設し、前記取付基板の前面に前記球入口を挟み該取付基板を正面から見て起立または逆ハの字状に傾倒する一対の可動翼片を軸着し、前記取付基板の後面に前記球入口を囲うようにして箱枠を固着し、前記箱枠内に遊技球の入賞と共に作動して前記可動翼片を起立または逆ハの字状に傾倒させる球誘導部材を配置した可変入賞装置であって、前記いずれか一方の可動翼片の上面位置に該可動翼片とは別個に形成されかつ前記可動翼片の軸着部と同じ側で軸着され該可動翼片と同一平面内で回動する球逃し板を配置し、前記球逃し板は、前記球逃し板に載る遊技球が前記軸着部側から他の遊技球によって押されたときに該軸着部側から離れて逃げられる範囲で上面が常に前記軸着部側へ緩やかに下傾する状態で支持されていることを特徴とする。
【０００８】
前記軸着部側へ緩やかに下傾する前記球逃し板の上面の傾斜角度は、具体的に水平面より大きくかつ水平面に対して１０度以内の範囲で設定され、条件としては５度〜６度が好ましい。
【発明の効果】
【０００９】
本発明に係る可変入賞装置は、いずれか一方の可動翼片の上面位置に該可動翼片とは別個に形成されかつ該可動翼片の軸着部と同じ側で軸着され該可動翼片と同一平面内で回動する球逃し板を配置し、該球逃し板は、該球逃し板に載る遊技球が軸着部側から他の遊技球によって押されたときに該軸着部側から離れて逃げられる範囲で上面が常に軸着部側へ緩やかに下傾する状態で支持されている。よって、一対の可動翼片が逆ハの字状に傾倒して開いた状態の可変入賞装置に偶然に３個の遊技球が同時に入り、しかも、第１個目の遊技球が軸着部より下方の両可動翼片間に挟まり、続く第２個目と第３個目の遊技球が両可動翼片の上面で接触しかつ両可動翼片により挟まれようとしても、一方の可動翼片にあって球逃し板の上面の水平面に対する傾斜角度は緩やかであるのに対し他方の可動翼片の上面の水平面に対する傾斜角度は急であるので、他方の可動翼片側に位置する第３個目の遊技球の球逃し板上面に位置する第２個目の遊技球を押す力が勝り、第２個目の遊技球が軸着部から離れて逃げる。これにより、力のバランスが崩れ、軸着部より下方の両可動翼片間が開かれて第１個目の遊技球が落下し、続いて第２・３個目の遊技球も落下することになる。よって、球噛現象の発生が防止され、可変入賞装置が常に支障なく作動できるという効果が有る。
【図面の簡単な説明】
【００１０】
【図１】本発明に係る可変入賞装置の斜視図。
【図２】同正面図。
【図３】同平面図。
【図４】同側面図。
【図５】同正面断面図。
【図６】一対の可動翼片が閉じた状態の可変入賞装置の側面断面図。
【図７】一対の可動翼片が開いた状態の可変入賞装置の側面断面図。
【図８】球誘導部材の斜視図。
【図９】同分解斜視図。
【図１０】可変入賞装置の作用を説明する正面断面図。
【発明を実施するための形態】
【００１１】
以下、本発明に係る可変入賞装置の最良の実施の形態を図面に基づき詳しく説明する。本発明に係る可変入賞装置は、パチンコ機、アレパチ機、雀球遊技機等の遊技機に適用される。この内、パチンコ機に適用される場合について説明する。図１は本発明に係る可変入賞装置の斜視図、図２は同正面図、図３は同平面図、図４は同側面図、図５は同正面断面図である。
【００１２】
まず、本発明に係る可変入賞装置Ａは、後記する球誘導部材１６の後部に上方から遊技球としてのパチンコ球が入賞して落下することにより球誘導部材１６を作動させ、後記する一対の可動翼片６ａ，６ｂを両側へ傾倒させて開きパチンコ球が入賞し易い状態とし、該開いた両可動翼片６ａ，６ｂ間にパチンコ球が入賞すると該パチンコ球により両可動翼片６ａ，６ｂを閉じるようにしたタイプのものである。よって、球誘導部材１６の上面を前方から後方へ向かってパチンコ球が転動することはない。可変入賞装置Ａは、パチンコ機（図示せず。）の遊技盤面に取り付けられる取付基板１を有し、該取付基板１の中央にパチンコ球が通過し得る縦長の球入口２が開設される。また、取付基板１の一側すなわち該取付基板１を正面から見て右肩上部に、前方へ突出する球受板３が設けられている。該球受板３は、後記するように球入口２へ流入するパチンコ球の球詰まりを防止するためのものである。また、球入口２の上縁に該球入口２の上部からパチンコ球が入るのを防ぐ邪魔棒１ａが垂設されている。
【００１３】
前記取付基板１の前面には、前記球入口２の前方と両側方と下方を囲い上方が開放されるポケットカバー４が取り付けられている。該ポケットカバー４であって周囲より高く形成された前板４ａの後面上部に、球入口２の両側面と対向位置して後方へ水平に延設される支持軸５，５が設けられ、両支持軸５，５に一対の可動翼片６ａ，６ｂが軸支される。各可動翼片６ａ，６ｂは、後端面が開放する中空状に形成されると共に常に自重で外側へ回動するように付勢されている。そして、球誘導部材１１の前端が下方へ回動することにより、両可動翼片６ａ，６ｂを起立させると共にその下部間に介在して外側への回動動作を規制し、パチンコ球が入賞し難い起立状態、または、球誘導部材１１の前端の上方への回動動作に伴い自由となってパチンコ球が入賞し易い逆ハの字状に傾倒した状態とに変換できるようになっている。各可動翼片６ａ，６ｂは、外側へ傾倒したとき共にポケットカバー４の側壁上端に設けられた止板７，７に当接して停止するようになっている。ポケットカバー４の内底面は後方へ下傾し、その後端が球入口２を挟んで後記する排出樋３５に連通している。
【００１４】
前記両可動翼片６ａ，６ｂの内、取付基板１を正面から見て右側の可動翼片６ｂは、前記球受板３に対応位置して後端縁が切り欠かれて凹窪部８が形成されている。これにより、右側の可動翼片６ｂが支障なく起立または傾動できるようになっている。仮に、両可動翼片６ａ，６ｂが左右対称型に成形されかつ前記球受板３や邪魔棒１ａがないとし、逆ハの字状に傾倒して開いた可動翼片６ａ，６ｂの上面に２個のパチンコ球が乗り、これらが球入口２へ同時に流入しようとした場合、２個のパチンコ球が互いにぶつかり合って両可動翼片６ａ，６ｂの上面で静止してしまい、球詰まりを起こす危険性がある。そこで、前記のように取付基板１の右肩上部に球入口２に近接させて球受板３を設け、前記２個のパチンコ球の内、一方のパチンコ球を該球受板３の上面に載せることにより、右側の可動翼片６ｂの上面に達する時間を他方のパチンコ球が左側の可動翼片６ａの上面に達する時間よりも遅らせている。これにより、パチンコ球が球入口２へ順序良く流入することになり、球入口２での球詰まりが解消される。ちなみに、前記球受板３は対応する可動翼片６ｂの影となって正面からでは見えない。
【００１５】
一方、取付基板１を正面から見て左側の可動翼片６ａも、上面壁９が切り欠かれて凹窪部１０が形成される。そして、該凹窪部１０内に球噛現象の発生を防止する球逃し板１１が配置される。この球逃し板１１は、特に３個のパチンコ球が同時に入った場合の球噛現象の発生を防止するためのものであって、左側の可動翼片６ａとは別個に形成されている。球逃し板１１は一端の下側に軸筒部１１ａが一体に形成され、該軸筒部１１ａに前記支持軸５が挿通され、左側の可動翼片６ａと同一平面内で回動できるようになっている。また、球逃し板１１の他端すなわち外側端部は取付基板１の前面に突設された支承部１２により支持され、それより下方へは回動できないようにしている。この支持された状態では、球逃し板１１の上面１１ｂが、左側の可動翼片６ａの軸着部１３ａ側へ緩やかに下傾する状態で支持されることになる。その傾斜角度は、水平面より大きくかつ水平面に対して１０度以内の範囲で設定されるが、この内、水平面に対して５度〜６度の傾斜角度が好ましい。左側の可動翼片６ａが傾倒した状態では、球逃し板１１が支承部１２により支持されているが、左側の可動翼片６ａが起立するに従い該可動翼片６ａと球逃し板１１とが係合する。そして、左側の可動翼片６ａが起立した状態では、球逃し板１１が少し軸着部１３ａ側へ回動して停止するが、停止位置での球逃し板１１の上面１１ｂは水平面に対する傾斜角度が前記１０度以内に抑えられる。
【００１６】
前記球逃し板１１について更に詳しく説明すると、たとえば、従来の可変入賞装置を考えた場合、第１個目のパチンコ球が軸着部１３ａ，１３ａより下方の両可動翼片６ａ，６ｂ間に挟まり、同時に第２個目と第３個目のパチンコ球が軸着部１３ａ，１３ａより上方の両可動翼片６ａ，６ｂの上面に接触した状態でほぼ左右対称に載ると、これら３個のパチンコ球と両可動翼片６ａ，６ｂとの力関係のバランスが保たれて、球噛現象が発生する。これは接触する第２個目のパチンコ球と第３個目のパチンコ球とが両可動翼片６ａ，６ｂの共に起立しようとする力により互いに挟まれ、各可動翼片６ａ，６ｂと各パチンコ球Ｂ４，Ｂ５とがほぼ同じ力で押し合うことに起因する。そこで、本発明では左側の可動翼片６ａとは別個に球逃し板１１を形成している。球噛みしようとするとき、球逃し板１１の上面１１ｂの傾斜角度が右側の可動翼片６ｂの上面の水平面に対する傾斜角度より小さく、しかも、その傾斜角度が１０度以内の範囲に設定されているので、その上面１１ｂに載る第３個目のパチンコ球は第２個目のパチンコ球に押され軸着部１３ａとは反対側へ逃げ易い。すなわち、第３個目のパチンコ球により押されたとき、第２個目のパチンコ球が逃げられるスペースが確保されていることである。球逃し板１１の上面１１ｂを軸着部１３ａ側へ緩やかに下傾させているのは、該上面１１ｂに載った第３個目のパチンコ球をそこに留まらせることなく速やかに落下させるためである。
【００１７】
前記取付基板１の後面には、球入口２を囲うようにして箱枠１４が固着される。該箱枠１４は、その後部一側にパチンコ球が通過し得る切欠開口１５が開設され、また、下面は開放している。そして、該箱枠１４内に、パチンコ球の入賞と共に作動して前記両可動翼片６ａ，６ｂを起立させる球誘導部材１６が配置される。該球誘導部材１６は、図６、図７に示すように前記取付基板１を正面から見て前後方向に沿って前端に位置する分割前部材１６ａと、中間に位置する分割中部材１６ｂと、後端に位置する分割後部材１６ｃと、の三部材からなっている。分割前・中・後部材１６ａ，１６ｂ，１６ｃは、いずれも箱枠１４の両側壁１４ａ，１４ａ間に横架される横軸１７ａ，１７ｂ，１７ｃにより軸着され、前記前後方向で前端が上下に回動するようになっている。前記分割前部材１６ａの横軸１７ａと分割中部材１６ｂの横軸１７ｂと分割後部材１６ｃの横軸１７ｃとは、それら高さが前側から後側へ進むに従い順に低くなるように配置される。
【００１８】
三部材に分割される前記球誘導部材１６を図８及び図９に基づき更に詳しく説明すると、分割前部材１６ａは、横軸１７ａが挿通される軸筒部１８の外周面の一側すなわち取付基板１側である前側に、前端が横方向に二股に分かれる二股状部１９が形成され、これら前端が両可動翼片６ａ，６ｂの下部間に介入したり、そこから脱っしたりする。この二股状部１９間の寸法は、パチンコ球が通過できる範囲で設定される。また、その下方に、軸筒部１８の外周面から前方へ直交状に伸びかつ二股状部１９の中間に位置する作用杆２０が配置される。二股状部１９間を流下したパチンコ球は、作用杆２０をその上面から自重で下方へ押動して分割前部材１６ａを横軸１７ａを中心として前側へ回動させることになる。更に、軸筒部１８の外周面の他側すなわち箱枠１４の後部側に、後方へ突出する腕片２１が設けられ、該腕片２１の先端に前記軸筒部１８の中心軸と平行な連結軸２２が一体に設けられる。該連結軸２２の両端間の寸法は、腕片２１の幅よりも長く設定されている。
【００１９】
分割中部材１６ｂは、側面長円形状の平行な一対の長円リング部２３ａ，２３ａを備え、両長円リング部２３ａ，２３ａ間であってそれら中央に断面四角柱状の軸筒部２４が一体に設けられる。よって、軸筒部２４の中心軸線と両長円リング部２３ａ，２３ａは互いに直交することになる。この両長円リング部２３ａ，２３ａの長円孔２５ａ，２５ａの前端部に、前記分割前部材１６ａの連結軸２２が遊嵌される。また、軸筒部２４の上面一側に上方へ突出する支持杆２６が設けられ、該支持杆２６の上端一側に該支持杆２６に直交しかつ軸方向へスリット２７を設けた短杆２６ａが突設されている。そして、該短杆２６ａに弾性保持手段であるネジリコイルバネ２８が取り付けられる。該ネジリコイルバネ２８は、前記短杆２６ａに嵌る巻回部２８ａと該巻回部２８ａから伸びる直線的な一対の自由端２８ｂ，２８ｃとからなる。これらネジリコイルバネ２８の自由端２８ｂ，２８ｃは、それぞれ軸筒部２４を挟んだ前後両側で両長円リング部２３ａ，２３ａ間に介在する。
【００２０】
分割後部材１６ｃは、横軸１７ｃが挿通される軸筒部２９の外周面の一側すなわち取付基板１側である前側に、前方へ突出する腕片３０が形成され、該腕片３０の前端に連結軸３１が一体に設けられる。該連結軸３１の両端間の寸法は、腕片３０の幅よりも長く設定されている。そして、該連結軸３１が前記分割中部材１６ｂの両長円リング部２３ａ，２３ａにおける長円孔２５ａ，２５ａの後端部に遊嵌される。軸筒部２９の外周面の他側すなわち箱枠９の後部側に、後方へ延びかつ上方から落下するパチンコ球を受け止め側方へ排出する案内板３２が設けられる。該案内板３２の一側縁すなわち前記箱枠１４の切欠開口１５とは反対側と該案内板３２の後端縁とに、上方へ突出し案内板３２の上面を転動するパチンコ球がそれらの縁から下方へ落ちないように止めるガード片３３が形成される。これにより、案内板３２の上面に落下したパチンコ球は、ガード片３３のない一側縁から切欠開口１５を介して外部に排出される。３４は案内板３２の一側から外方へ突出させた連杆であり、例えば外部から分割後部材１６ｃを強制的に作動させる場合に使用されるものである。
【００２１】
前記取付基板１の後面であって箱枠１４の下方に、前端が前記ポケットカバー４の内底面の後端と連通し、後端が開放される樋状の排出樋３５が配置される。該排出樋３５も底面が後方へ向かって下傾しており、前記ポケットカバー４の下部から排出されるパチンコ球を導き後方へ排出することになる。３６は前記箱枠１４の後側下部に両側壁１４ａ，１４ａ間に差し渡されるようにして設けられる停止板であって、分割後部材１６ｃが後方へ回動したとき、その下面が該停止板３６の上面に当接することで分割後部材１６ｃが停止するようになっている。
【００２２】
このように構成される球誘導部材１６は、分割前部材１６ａの後端を分割中部材１６ｂの前端に軸着し、分割中部材１６ｂの後端に分割後部材１６ｃの前端を軸着した状態で、これら分割前・中・後部材１６ａ，１６ｂ，１６ｃの軸筒部１８，２４，２９にそれぞれ横軸１７ａ，１７ｂ，１７ｃを挿通する。これら横軸１７ａ，１７ｂ，１７ｃは、図３に示すように箱枠１４の両側壁１４ａ，１４ａに開設された軸承孔３７，３７に挿通され、先端にＥリング３８を嵌めて固定される。
【００２３】
同時に、前記分割中部材１６ｂにおける短杆２６ａに取り付けたネジリコイルバネ２８の一方の自由端２８ｂが、分割前部材１６ａの後端の連結軸２２と分割中部材１６ｂの軸筒部２４との間に位置し、しかも、前記連結軸２２に接触しかつ該連結軸２２を該連結軸２２が分割中部材１６ｂの横軸１７ｂから遠ざかるように回動付勢している。また、前記分割中部材１６ｂにおける短杆２６ａに取り付けたネジリコイルバネ２８の他方の自由端２８ｃは、分割後部材１６ｃの前端の連結軸３１と分割中部材１６ｂの軸筒部２４との間に位置し、しかも、前記連結軸３１に接触しかつ該連結軸３１を該連結軸３１が分割中部材１６ｂの横軸１７ｂから遠ざかるように回動付勢している。これら両連結軸２２，３１を付勢するバネ力は、パチンコ球が入賞することにより球誘導部材１６が動作し得る範囲内で設定される。これにより、箱枠１４内に三部材からなる球誘導部材１６が配置される。
【００２４】
球誘導部材１６の内の分割前部材１６ａは、前端が下方へ回動して前側が下傾したとき、その前端の二股状部１９が両可動翼片６ａ，６ｂの下部間に介入して両可動翼片６ａ，６ｂを起立させ、その状態を維持させる。一方、分割前部材１６ａの前端が上方へ回動したとき、その前端の二股状部１９が上動すると共に両可動翼片６ａ，６ｂが自由となり、その自重で外側へ傾倒して取付基板１を正面から見て逆ハの字状に開く。またこのとき、分割前部材１６ａの作用杆２０は両可動翼片６ａ，６ｂ間の下方に位置する。
【００２５】
本発明に係る可変入賞装置Ａは上記構成からなり、図５鎖線及び図６に示すように両可動翼片６ａ，６ｂが起立して閉じた状態では、球誘導部材１６における分割前部材１６ａの前端が下方へ回動して前側へ下傾し、先端の二股状部１９が両可動翼片６ａ，６ｂの下部間に介入している。このとき、分割中部材１６ｂは後側へ下傾すると共に分割後部材１６ｃは前側へ回動してほぼ水平に位置している。また、ネジリコイルバネ２８の一方の自由端２８ｂにより、分割前部材１６ａにおける連結軸２２を該連結軸２２が分割中部材１６ｂの横軸１７ｂから離れる方向へ回動付勢して分割前部材１６ａを前側へ回動させた状態で保持している。同様に、ネジリコイルバネ２８の他方の自由端２８ｃにより、分割後部材１６ｃにおける連結軸３１を該連結軸３１が分割中部材１６ｂの横軸１７ｂから離れる方向へ回動付勢して、分割後部材１６ｃを前側へ回動させた状態で保持している。
【００２６】
この状態で、図６に示すように球誘導部材１６の後部すなわち分割後部材１６ｃ上面にその上方からパチンコ球Ｂ１が入賞して落下すると、分割後部材１６ｃの後端がネジリコイルバネ２８の付勢に抗して下方へ回動すると共に後側へ下傾する。これに伴い、分割中部材１６ｂは前側へ下傾すると共に分割前部材１６ａはネジリコイルバネ２８の付勢に抗して前端が上方へ回動する。これにより、図５実線及び図７に示すように両可動翼片６ａ，６ｂは自由になって外側へ逆ハの字状に傾動して開く。ちなみに、前記分割後部材１７ｃの案内板３２の上面に落下したパチンコ球Ｂ１は、切欠開口１５を介して外部へ排出される。
【００２７】
次に、図７に示すように両可動翼片６ａ，６ｂが逆ハの字状に開いた状態で、両可動翼片６ａ，６ｂ間にパチンコ球Ｂ２が入賞すると、該パチンコ球Ｂ２は分割前部材１６ａにおける作用杆２０を自重でその上面から下方へ押し下げつつ流下し、ポケットカバー４の下部から排出樋３５に流下して外部へ排出される。これに伴い、分割前部材１６ａの後端がネジリコイルバネ２８の付勢に抗して上方へ回動し、分割中部材１６ｂは後側へ下傾すると共に分割後部材１６ｃはネジリコイルバネ２８の付勢に抗して前端が下方へ回動して案内板３２が上方へ回動する。これにより、球誘導部材１６が図６に示す位置に戻り、両可動翼片６ａ，６ｂが起立する。
【００２８】
図６、図７に示すような両可動翼片６ａ，６ｂが起立または逆ハの字状に傾動した状態にあっては、ネジリコイルバネ２８の自由端２８ｂ，２８ｃにより連結軸２２，３１が回動付勢されその状態での互いの位置で保持される。これにより、ネジリコイルバネ２８における自由端２８ｂ，２８ｃの付勢に抗して分割前部材１６ａや分割後部材１６ｃの前記保持される方向とは逆方向への回動動作が抑制されてほとんど動きが取れない状態となり、分割前部材１６ａや分割後部材１６ｃが必要もなく勝手に回動することがない。よって、前記両可動翼片６ａ，６ｂが起立した状態または逆ハの字状に傾倒した状態で外部から衝撃を受けても、球誘導部材１６は三分割され互いに軸着されているので、力が分散されその伝播がうまく行なわれない。しかも、ネジリコイルバネ２８によって分割前部材１６ａと分割後部材１６ｃとは互いに前記両可動翼片６ａ，６ｂが起立した状態または逆ハの字状に傾倒した状態での位置で保持される方向に回動付勢されているので、各分割前・中・後部材１６ａ，１６ｂ，１６ｃのその動作が抑制され、必要もなく勝手に回動することがない。その結果、球誘導部材１６の誤動作が防止される。
【００２９】
ところで、両可動翼片６ａ，６ｂが逆ハの字状に開いた状態で、図１０実線に示すように偶然に３個のパチンコ球が同時に入った場合、第１個目のパチンコ球Ｂ３は、軸着部１３ａ，１３ａの下方の両可動翼片６ａ，６ｂ間に挟まれ、取付基板１を正面から見て左側の第２個目のパチンコ球Ｂ４は球逃し板１１に載り、取付基板１を正面から見て右側の第３個目のパチンコ球Ｂ５は第１個目のパチンコ球Ｂ３の上面に載ると共に第２個目のパチンコ球Ｂ４に接触している。しかも、第３番目のパチンコ球Ｂ５は球受板３により押され、第２個目のパチンコ球Ｂ４を軸着部１３ａから離れる方向すなわち外側へ押す。この際、球逃し板１１の上面１１ｂが水平面に対し軸着部１３ａ側へ緩やかに下傾しているので、第２個目のパチンコ球Ｂ４は第３個目のパチンコ球Ｂ５により押されて図１０鎖線に示すように軸着部１３ａ側から離れて逃げることになる。これにより、第２個目、第３個目のパチンコ球Ｂ４，Ｂ５の力のバランスが崩れ、まず、図１０鎖線に示すように第１個目のパチンコ球Ｂ３が両可動翼片６ａ，６ｂ間をすり抜け落下する。続いて、第３個目のパチンコ球Ｂ５と第２個目のパチンコ球Ｂ４が順に落下することになる。これにより、球噛現象の発生が防止される。
【００３０】
本発明にあっては、取付基板１の前面一側に球受板３を設けた可変入賞装置Ａについて説明したが、この球受板３のない可変入賞装置についても適用できることは勿論である。また、球受板３がない場合は、球逃し板１１を取付基板１を正面から見て右側の可動翼片６ｂ側に配置するようにしても良い。
【符号の説明】
【００３１】
１              取付基板
２              球入口
６ａ            可動翼片
６ｂ            可動翼片
１１            球逃し板
１１ｂ          上面
１３ａ          軸着部
１４            箱枠
１６            球誘導部材
Ａ              可変入賞装置
Ｂ３            第１個目の遊技球（パチンコ球）
Ｂ４            第２個目の遊技球（パチンコ球）
Ｂ５            第３個目の遊技球（パチンコ球）
【図１】
2011218040.tif 000003
【図２】
2011218040.tif 000004
【図３】
2011218040.tif 000005
【図４】
2011218040.tif 000006
【図５】
2011218040.tif 000007
【図６】
2011218040.tif 000008
【図７】
2011218040.tif 000009
【図８】
2011218040.tif 000010
【図９】
2011218040.tif 000011
【図１０】
2011218040.tif 000012